(57)【要約】  本発明は、弾性シートを備える折り畳み可能な端末を開示する。前記弾性シートは、一方の状態において、前記折り畳み可能な端末が折り畳み状態に維持されるように弾力を提供可能であり、他方の状態において、前記折り畳み可能な端末が展開状態に維持されるように弾力を提供可能であり、前記折り畳み可能な端末が展開状態である場合には、前記弾性シートがフレキシブルスクリーンの内側に支持される。弾性シートにより折り畳み可能な端末の展開及び折り畳みを便利にすることができる。折り畳み可能な端末は、ハウジングと、二つの本体とを備えることで弾性シートを設けるのを便利にする。折り畳み可能な端末がフレキシブルスクリーンをさらに備えていてもよい。また、展開状態において、弾性シートが折り畳み可能な端末の内側の中間位置を支持し、利用者の体験を向上させる。【選択図】  図４
2019505830.tif 000002
【特許請求の範囲】
【請求項１】
ハウジングと、弾性シートとを備える折り畳み可能な端末であって、
前記弾性シートが、前記ハウジングの内側の中間位置に設けられ、
前記折り畳み可能な端末が折り畳み状態である場合には、前記弾性シートの中間位置が前記ハウジングに向けて盛り上がり、前記折り畳み可能な端末が展開状態である場合には、前記弾性シートの中間位置が逆方向に変形して盛り上がる折り畳み可能な端末。
【請求項２】
前記弾性シートが弓形である請求項１に記載の折り畳み可能な端末。
【請求項３】
前記ハウジングが、二つのケースと、曲げ変形可能な折り曲げ部とを備え、
該折り曲げ部が、二つの前記ケースの間に接続され、
前記弾性シートの両端が、それぞれ二つの前記ケースに対応して設けられ、その中間部が、前記折り曲げ部に対応して設けられる請求項１に記載の折り畳み可能な端末。
【請求項４】
前記折り畳み可能な端末が折り畳み状態である場合には、前記弾性シートの中間位置が前記折り曲げ部の内側に当接される請求項３に記載の折り畳み可能な端末。
【請求項５】
二つの前記ケースと前記折り曲げ部とが一体成形され、
前記ハウジングの全体が曲げ変形可能な材料で製造される請求項３に記載の折り畳み可能な端末。
【請求項６】
二つの本体をさらに備え、
二つの該本体は、それぞれ二つの前記ケースに固定され、
前記弾性シートの両端が、それぞれ二つの前記本体に固定して接続される請求項１に記載の折り畳み可能な端末。
【請求項７】
前記弾性シートの端部が、前記本体の厚み方向における中間位置に固定して接続される請求項６に記載の折り畳み可能な端末。
【請求項８】
フレキシブルスクリーンをさらに備え、
該フレキシブルスクリーンの両端が、それぞれ二つの前記本体に接続され、
前記弾性シートが、前記フレキシブルスクリーンと前記ハウジングとの間に位置し、
前記折り畳み可能な端末が展開状態である場合には、前記弾性シートが前記フレキシブルスクリーンの内側に支持される請求項６に記載の折り畳み可能な端末。
【請求項９】
前記フレキシブルスクリーンが、二つの固定領域と、折り曲げ領域とを備え、
二つの前記固定領域が、それぞれ二つの前記本体に固定され、
前記折り曲げ領域が、二つの前記固定領域の間に接続され、
前記弾性シートが、前記折り曲げ部と前記折り曲げ領域との間に位置し、
前記折り畳み可能な端末が展開状態である場合には、前記弾性シートが前記折り曲げ領域の内側に支持される請求項８に記載の折り畳み可能な端末。
【請求項１０】
前記折り曲げ領域の中間位置が、前記弾性シートの中間位置に固定して接続される請求項９に記載の折り畳み可能な端末。
【請求項１１】
前記折り畳み可能な端末が折り畳み状態である場合、前記折り曲げ領域が円弧状に折り曲げられる請求項９に記載の折り畳み可能な端末。
【請求項１２】
前記弾性シートにバッファ部材が設けられ、
該バッファ部材が、前記弾性シートと前記折り曲げ領域との間に位置する請求項９に記載の折り畳み可能な端末。
【請求項１３】
前記バッファ部材が、フレキシブルスペーサである請求項１２に記載の折り畳み可能な端末。
【請求項１４】
二つの前記本体の間にフレキシブル回路基板が接続される請求項６に記載の折り畳み可能な端末。
【請求項１５】
前記フレキシブル回路基板が前記折り曲げ部に固定される請求項１４に記載の折り畳み可能な端末。
【請求項１６】
前記フレキシブル回路基板が、前記折り曲げ部の内部に嵌め込まれる、又は、前記折り曲げ部の内面に貼り合わせて固定される請求項１４に記載の折り畳み可能な端末。
【請求項１７】
ハウジングと、弾性シートと、フレキシブルスクリーンとを備える折り畳み可能な端末であって、
前記ハウジングが、二つのケースと、曲げ変形可能な折り曲げ部とを備え、
該折り曲げ部が、二つの前記ケースの間に接続され、
前記弾性シートが、前記ハウジングと前記フレキシブルスクリーンとの間に位置し、
前記弾性シートの両端が、それぞれ二つの前記ケースに対応して設けられ、その中間部は、前記折り曲げ部に対応して設けられ、
前記弾性シートは、一方の状態において、前記ハウジングが折り畳み状態に維持されるように弾力を提供可能であり、他方の状態において、前記ハウジングが展開状態に維持されるように弾力を提供可能であり、
前記折り畳み可能な端末が展開状態である場合には、前記弾性シートが前記フレキシブルスクリーンの内側に支持される折り畳み可能な端末。
【請求項１８】
二つの本体をさらに備え、
二つの該本体が、それぞれ二つの前記ケースに固定され、
前記弾性シートの両端が、それぞれ二つの前記本体に固定して接続され、
前記フレキシブルスクリーンの両端が、それぞれ二つの前記本体に接続される請求項１７に記載の折り畳み可能な端末。
【請求項１９】
二つの本体と、弾性シートと、フレキシブルスクリーンとを備える折り畳み可能な端末であって、
前記弾性シートの両端が、それぞれ二つの前記本体に固定して接続され、
前記フレキシブルスクリーンの両端が、それぞれ二つの本体に接続され、
前記弾性シートは、一方の状態において、二つの前記本体が折り畳み状態に維持されるように弾力を提供可能であり、他方の状態において、二つの前記本体が展開状態に維持されるように弾力を提供可能であり、
前記折り畳み可能な端末が展開状態である場合には、前記弾性シートが前記フレキシブルスクリーンに支持される折り畳み可能な端末。
【請求項２０】
前記折り畳み可能な端末が展開状態である場合には、前記弾性シートの中間位置が前記フレキシブルスクリーンに向けて盛り上がり、前記折り畳み可能な端末が折り畳み状態である場合には、前記弾性シートの中間位置が前記フレキシブルスクリーンから離れる方向に向けて盛り上がる請求項１７から請求項１９のいずれかに記載の折り畳み可能な端末。
【発明の詳細な説明】
【優先権情報】
【０００１】
本出願は、２０１５年１２月２９日に中国国家知識産権局に提出され、特許出願番号がＣＮ２０１５１１０２６１０４．０であり、発明の名称が「フレキシブルスクリーンを有する折り畳み可能な端末」である中国特許出願の優先権を主張するものであり、当該中国特許出願の内容は参照により本出願に組み入れられる。
【技術分野】
【０００２】
本発明は、電子製品に関し、特に、折り畳み可能な端末に関する。
【背景技術】
【０００３】
フレキシブルスクリーンは、将来の携帯電子製品のトレンドになり、従来技術におけるフレキシブルスクリーンは、いずれも端末本体に固定されるものである。繰り返し折り曲げて使う端末製品において、一般的には、端末製品を二つの部分に分けて一回折り畳み、フレキシブルスクリーンが折り畳んだ端末製品の内側にあるように設計され、端末製品が展開された後、フレキシブルスクリーンが見える。
【０００４】
フレキシブルスクリーンの折り畳みを便利にするために、端末製品の内側の中間位置に収納スペースを保留する必要があり、フレキシブルスクリーンの中間位置は、折り畳んだ後、収納スペースに位置する。端末製品が展開された後、フレキシブルスクリーンが平坦状に展開され、その中間位置は、収納スペースが存在するため、宙に浮いてしまい、端末製品の他の内部構造部材に接続せず、支持されない。端末製品は、展開状態において、フレキシブルスクリーンの中間位置の押圧に対する利用者の体験がよくない。
【発明の概要】
【発明が解決しようとする課題】
【０００５】
本発明が解決しようとする技術課題は、展開状態において、中間位置が支持され、利用者の押圧体験を向上させる折り畳み可能な端末を提供することである。
【課題を解決するための手段】
【０００６】
上記技術課題を解決するために、本発明の一態様においては、ハウジングと、弾性シートとを備える折り畳み可能な端末を提供する。前記弾性シートが前記ハウジングの内側の中間位置に設けられる。
【０００７】
前記折り畳み可能な端末が折り畳み状態である場合には、前記弾性シートの中間位置が前記ハウジングに向けて盛り上がり、前記折り畳み可能な端末が展開状態である場合には、前記弾性シートの中間位置が逆方向に変形して盛り上がる。
【０００８】
本発明の他の態様は、ハウジングと、弾性シートと、フレキシブルスクリーンとを備える折り畳み可能な端末を提供する。前記ハウジングが、二つのケースと、曲げ変形可能な折り曲げ部とを備え、該折り曲げ部が、二つの前記ケースの間に接続され、前記弾性シートが、前記ハウジングと前記フレキシブルスクリーンとの間に位置し、前記弾性シートの両端が、それぞれ二つの前記ケースに対応して設けられ、その中間部は、前記折り曲げ部に対応して設けられ、前記弾性シートは、一方の状態において、前記ハウジングが折り畳み状態に維持されるように弾力を提供可能であり、他方の状態において、前記ハウジングが展開状態に維持されるように弾力を提供可能であり、前記折り畳み可能な端末が展開状態である場合には、前記弾性シートが前記フレキシブルスクリーンの内側に支持される。
【０００９】
本発明の他の態様は、二つの本体と、弾性シートと、フレキシブルスクリーンとを備える折り畳み可能な端末を提供する。前記弾性シートの両端が、それぞれ二つの前記本体に固定して接続され、前記フレキシブルスクリーンの両端が、それぞれ二つの前記本体に接続され、前記弾性シートは、一方の状態において、二つの前記本体が折り畳み状態に維持されるように弾力を提供可能であり、他方の状態において、二つの前記本体が展開状態に維持されるように弾力を提供可能であり、前記折り畳み可能な端末が展開状態である場合には、前記弾性シートが前記フレキシブルスクリーンに支持される。
【図面の簡単な説明】
【００１０】
【図１】本発明の好ましい一実施形態において提供される折り畳み可能な端末の折り畳み状態の立体構造概略図である。
【図２】図１の折り畳み可能な端末の折り畳み状態の断面図である。
【図３】図１の折り畳み可能な端末の展開状態の立体構造概略図である。
【図４】図１の折り畳み可能な端末の展開状態の断面図である。
【図５】図１の折り畳み可能な端末内の弾性シートの自然な状態の構造概略図である。
【図６】図５の弾性シートが力を受けて変形した後の構造概略図である。
【発明を実施するための形態】
【００１１】
以下、本発明の実施形態における図面に合わせて、本発明の実施形態における技術案について明確かつ完全に説明する。明らかに、説明される実施形態は、本発明の一部の実施例に過ぎず、すべての実施例ではない。本発明における実施例に基づいて、当業者が創造的労働をしないことを前提に取得するすべての他の実施例は、いずれも本発明の保護範囲に属する。
【００１２】
図１から図４に示されるように、本発明における好ましい一実施形態において提供されるフレキシブルスクリーンを有する折り畳み可能な端末であり、該端末は、任意の端末機器であってもよく、例えば、タブレット、携帯、電子書籍リーダー、リモコン、パソコン（Ｐｅｒｓｏｎａｌ  Ｃｏｍｐｕｔｅｒ，ＰＣ）、ラップトップ、車載機器、インターネットテレビ、ウェアラブルデバイスなどであってもよい。
【００１３】
図１から図４に示されるように、フレキシブルスクリーンを有する折り畳み可能な端末は、ハウジング１と、二つの本体２と、フレキシブルスクリーン３と、弾性シート４と、を備える。
二つの本体２は、いずれもハウジング１に固定され、弾性シート４は、二つの本体２の間に接続される。フレキシブルスクリーン３は、二つの本体２の内面に固定される。二つの本体２が折り畳み、又は展開する場合、フレキシブルスクリーン３は、それにつれて折り畳み、又は展開する。
【００１４】
ハウジング１は、フレキシブルスクリーンを有する折り畳み可能な端末の外側表面を形成する。ハウジング１は、二つのケース１２と、曲げ変形可能な折り曲げ部１１とを備える。
折り曲げ部１１は、二つのケース１２の間に接続される。二つの本体２は、それぞれ二つのケース１２に固定される。接続構造の強度を向上させるために、二つのケース１２と折り曲げ部１１とが一体成形されてもよい。ハウジング１は、シリコーンゲル、皮革、布、ポリカーボネートシートなどの曲げ変形可能な材料を用いて製造されてもよい。好ましくは、ハウジング１自身が自然な状態において平板状のストレート構造である。すなわち、ハウジング１が展開状態において平板状のストレート構造となり、その二つのケース１２が展開すると、１８０度になる。ハウジング１は、外力の作用で折り曲げ、二つのケース１２の間の夾角が０度になるようにし、したがって、折り畳み状態に転化することができる。
【００１５】
本実施形態において、ハウジング１の全体は、すべて曲げ変形可能な材料により構成される。ここでは、他の実施形態において、折り曲げ部１１だけが曲げ変形可能な材料により構成され、二つのケース１２は、他の材料により構成され、折り曲げ部１１の両端は、それぞれ二つのケース１２に固定して接続される。
【００１６】
二つの本体２は、それぞれ二つのケース１２に固定される。二つの本体２の内部には、いずれも内蔵回路基板、電池などの部材が設けられる。当然のことながら、他の実施形態において、電池や、回路基板が一方の本体２の内部だけに設けられてもよく、該本体２と他方の本体２とが電気接続されて、他方の本体２の給電及び信号伝達を実現する。二つの本体２の間にフレキシブル回路基板（図示せず）が接続され、フレキシブル回路基板を利用して二つの本体２の間の電気接続を実現する。
【００１７】
フレキシブル回路基板は、折り曲げ部１１に固定され、折り曲げ部１１につれて折り曲げ、及び展開することができ、フレキシブル回路基板の配置構成を便利にし、フレキシブル回路基板と他の内部構造部材とが干渉するのを回避することができる。
【００１８】
さらに具体的には、フレキシブル回路基板は、折り曲げ部１１の内部に嵌め込まれてもよく、その両端は、二つの本体２のいずれにも電気コネクターなどを介して脱着可能に固定して接続することができる。フレキシブル回路基板は、折り曲げ部１１の内部に嵌め込まれて、占有スペースを減少し、端末の部品数を減少し、フレキシブル回路基板と他の内部構造部材とが干渉するのを効果的に回避することができる。
また、他の実施形態において、フレキシブル回路基板は、折り曲げ部１１の内面に貼り合わせて固定されてもよいし、フレキシブルスクリーン３の内面、又は弾性シート４の表面に貼り合わせて固定されてもよい。
【００１９】
フレキシブルスクリーン３は、フレキシブルスクリーンを有する折り畳み可能な端末の内面に位置する。フレキシブルスクリーン３は、二つの固定領域３２と、折り曲げ領域３１と備える。二つの固定領域３２は、それぞれ二つの本体２に固定される。折り曲げ領域３１は、二つの固定領域３２の間に接続され、三者が一体的に成形され、折り曲げ領域３１と固定領域３２とがシームレスに接続されて、フレキシブルスクリーン３の整合性を保証し、表示の視覚効果を保証する。
【００２０】
フレキシブルスクリーン３は、柔軟性のあるディスプレイスクリーンと、ディスプレイスクリーンに積層して設けられるタッチ層とを有し、ディスプレイスクリーンを利用して情報表示を行うことができ、タッチ層を利用して端末に対するタッチコントロールを実現することができる。
【００２１】
弾性シート４は、弓形であり、その両端は、それぞれ二つの本体２に固定して接続される。弾性シート４は、折り曲げ部１１と折り曲げ領域３１との間に位置する。弾性シート４は、ステンレスシート、ベリリウム銅シート又は黄銅シートなどの弾性材料であってもよい。図５に示されるように、弾性シート４は、自然な状態において、弓形状であり、自身の形状の特性及び自身の内部応力が原因で、その中間位置にある突出した弧形の部分が外力の影響を受ける場合、図６に示されるように、中間の弧形部分は他面に跳ねて、他の方向に突出する。
【００２２】
図１及び図２に示されるように、フレキシブルスクリーンを有する折り畳み可能な端末が折り畳み状態である場合には、弾性シート４の中間位置がハウジング１に向けて盛り上がり、フレキシブルスクリーンを有する折り畳み可能な端末が展開状態である場合には、弾性シート４の中間位置が逆方向に変形し、折り曲げ領域３１に向けて盛り上がって、折り曲げ領域３１の内側に支持される。
【００２３】
図３及び図４に示されるように、フレキシブルスクリーンを有する折り畳み可能な端末が展開された後には、フレキシブルスクリーン３の全体が平坦状であり、弾性シート４の中間位置によりフレキシブルスクリーン３の折り曲げ領域３１を支持することができる。したがって、フレキシブルスクリーン３を開けた後、中間部分、即ち折り曲げ領域３１が宙に浮いてしまい、押圧体験がよくないという技術課題を解決する。フレキシブルスクリーンを有する折り畳み可能な端末が折り畳まれた後には、弾性シート４の中間位置がハウジング１に向けて盛り上がる。したがって、フレキシブルスクリーン３の折り曲げ領域３１が折り曲げられるように、スペースを保留し、折り曲げ領域３１の押圧による損壊を回避する。
【００２４】
弾性シート４の端部は、本体２の厚み方向における中間位置に固定して接続される。端末が折り畳み状態である場合と、展開状態である場合とにおいて、弾性シート４の中間位置の弧形の突出高度は、ほぼ等しい。フレキシブルスクリーンを有する折り畳み可能な端末が展開された後には、フレキシブルスクリーン３の全体の平坦性を保証することができ、折り曲げ領域３１が凹み又は盛り上がりを形成するのを回避することができる。それとともに、折り畳み端末が折り畳まれた後には、ハウジング１の折り曲げ部１１の内側に当接することができ、折り曲げ領域３１と折り曲げ部１１との間のスペースを十分に利用する。
【００２５】
折り曲げ領域３１の中間位置は、弾性シート４の中間位置に固定して接続される。折り曲げ領域３１は、弾性シート４の中間位置に粘着などの方法により固定して接続することができる。折り曲げ領域３１と弾性シート４との両者の中間位置が一緒に固定された後、フレキシブルスクリーンを有する折り畳み可能な端末が折り畳まれる場合には、弾性シート４の中間位置がハウジング１に向けて盛り上がって変形し、曲げ変形するように折り曲げ領域３１を連動させることができ、折り曲げ領域３１の湾曲に有利であり、正常に湾曲せず、押圧されて損壊し、正常の使用に影響を及ぼすのを防ぐ。
【００２６】
折り畳み可能な端末が折り畳み状態である場合、折り曲げ領域３１が円弧状に折り曲げられ、折り曲げ領域３１が平坦状に回復するのに有利であり、折り曲げ領域３１が過度に湾曲して損壊することを防ぐ。
【００２７】
弾性シート４にフレキシブルスペーサ（図示せず）が設けられ、フレキシブルスペーサは、弾性シート４とフレキシブルスクリーン３の折り曲げ領域３１との間に位置する。フレキシブルスペーサにより、折り曲げ領域３１への支持を容易にすることができ、弾性シート４の剛性の支持が、折り曲げ領域３１を損壊し、フレキシブルスクリーン３の正常表示に影響を及ぼすのを防ぐ。
【００２８】
上記実施形態は、技術案の保護範囲に対する限定を構成するものではない。上記実施形態の要旨及び原則の範囲内に行う任意の修正、均等物による置換及び改善などは、いずれも技術案の保護範囲内に含まれるべきである。
【図１】
2019505830.tif 000003
【図２】
2019505830.tif 000004
【図３】
2019505830.tif 000005
【図４】
2019505830.tif 000006
【図５】
2019505830.tif 000007
【図６】
2019505830.tif 000008
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
ハウジングと、弾性シートとを備える折り畳み可能な端末であって、
前記弾性シートが、前記ハウジングの内側の中間位置に設けられ、
前記折り畳み可能な端末が折り畳み状態である場合には、前記弾性シートの中間位置が前記ハウジングに向けて盛り上がり、前記折り畳み可能な端末が展開状態である場合には、前記弾性シートの中間位置が、前記折り畳み可能な端末が折り畳み状態である場合における前記弾性シートの中間位置が前記ハウジングに向けて盛り上がる方向とは逆方向に変形して盛り上がる折り畳み可能な端末。
【請求項２】
前記ハウジングが、二つのケースと、曲げ変形可能な折り曲げ部とを備え、
該折り曲げ部が、二つの前記ケースの間に接続され、
前記弾性シートの両端が、それぞれ二つの前記ケースに対応して設けられ、その中間部が、前記折り曲げ部に対応して設けられ、
前記弾性シートが弓形である請求項１に記載の折り畳み可能な端末。
【請求項３】
前記折り畳み可能な端末が折り畳み状態である場合には、前記弾性シートの中間位置が前記折り曲げ部の内側に当接され、
二つの前記ケースと前記折り曲げ部とが一体成形され、
前記ハウジングの全体が曲げ変形可能な材料で製造される請求項２に記載の折り畳み可能な端末。
【請求項４】
二つの本体をさらに備え、
二つの該本体は、それぞれ二つの前記ケースに固定され、
前記弾性シートの両端が、それぞれ二つの前記本体に固定して接続される請求項１に記載の折り畳み可能な端末。
【請求項５】
前記弾性シートの端部が、前記本体の厚み方向における中間位置に固定して接続される請求項４に記載の折り畳み可能な端末。
【請求項６】
フレキシブルスクリーンをさらに備え、
該フレキシブルスクリーンの両端が、それぞれ二つの前記本体に接続され、
前記弾性シートが、前記フレキシブルスクリーンと前記ハウジングとの間に位置し、
前記折り畳み可能な端末が展開状態である場合には、前記弾性シートが前記フレキシブルスクリーンの内側に支持される請求項４に記載の折り畳み可能な端末。
【請求項７】
前記フレキシブルスクリーンが、二つの固定領域と、折り曲げ領域とを備え、
二つの前記固定領域が、それぞれ二つの前記本体に固定され、
前記折り曲げ領域が、二つの前記固定領域の間に接続され、
前記弾性シートが、前記折り曲げ部と前記折り曲げ領域との間に位置し、
前記折り畳み可能な端末が展開状態である場合には、前記弾性シートが前記折り曲げ領域の内側に支持される請求項６に記載の折り畳み可能な端末。
【請求項８】
前記折り曲げ領域の中間位置が、前記弾性シートの中間位置に固定して接続される請求項７に記載の折り畳み可能な端末。
【請求項９】
前記折り畳み可能な端末が折り畳み状態である場合、前記折り曲げ領域が円弧状に折り曲げられる請求項７に記載の折り畳み可能な端末。
【請求項１０】
前記弾性シートにバッファ部材が設けられ、
該バッファ部材が、前記弾性シートと前記折り曲げ領域との間に位置し、
前記バッファ部材が、フレキシブルスペーサである請求項７に記載の折り畳み可能な端末。
【請求項１１】
二つの前記本体の間にフレキシブル回路基板が接続され、
前記フレキシブル回路基板が、前記折り曲げ部に固定される、前記折り曲げ部の内部に嵌め込まれる、又は、前記折り曲げ部の内面に貼り合わせて固定される請求項４に記載の折り畳み可能な端末。
【請求項１２】
ハウジングと、弾性シートと、フレキシブルスクリーンとを備える折り畳み可能な端末であって、
前記ハウジングが、二つのケースと、曲げ変形可能な折り曲げ部とを備え、
該折り曲げ部が、二つの前記ケースの間に接続され、
前記弾性シートが、前記ハウジングと前記フレキシブルスクリーンとの間に位置し、
前記弾性シートの両端が、それぞれ二つの前記ケースに対応して設けられ、その中間部は、前記折り曲げ部に対応して設けられ、
前記弾性シートは、一方の状態において、前記ハウジングが折り畳み状態に維持されるように弾力を提供可能であり、他方の状態において、前記ハウジングが展開状態に維持されるように弾力を提供可能であり、
前記折り畳み可能な端末が展開状態である場合には、前記弾性シートが前記フレキシブルスクリーンの内側に支持される折り畳み可能な端末。
【請求項１３】
二つの本体をさらに備え、
二つの該本体が、それぞれ二つの前記ケースに固定され、
前記弾性シートの両端が、それぞれ二つの前記本体に固定して接続され、
前記フレキシブルスクリーンの両端が、それぞれ二つの前記本体に接続される請求項１２に記載の折り畳み可能な端末。
【請求項１４】
二つの本体と、弾性シートと、フレキシブルスクリーンとを備える折り畳み可能な端末であって、
前記弾性シートの両端が、それぞれ二つの前記本体に固定して接続され、
前記フレキシブルスクリーンの両端が、それぞれ二つの本体に接続され、
前記弾性シートは、一方の状態において、二つの前記本体が折り畳み状態に維持されるように弾力を提供可能であり、他方の状態において、二つの前記本体が展開状態に維持されるように弾力を提供可能であり、
前記折り畳み可能な端末が展開状態である場合には、前記弾性シートが前記フレキシブルスクリーンに支持される折り畳み可能な端末。
【請求項１５】
前記折り畳み可能な端末が展開状態である場合には、前記弾性シートの中間位置が前記フレキシブルスクリーンに向けて盛り上がり、前記折り畳み可能な端末が折り畳み状態である場合には、前記弾性シートの中間位置が前記フレキシブルスクリーンから離れる方向に向けて盛り上がる請求項１２から請求項１４のいずれかに記載の折り畳み可能な端末。
【国際調査報告】
2019505830.tif 000009
2019505830.tif 000010
2019505830.tif 000011
2019505830.tif 000012